(57)【特許請求の範囲】
【請求項１】
外周面に軸方向へ延びた少なくとも一つの突条を有する円柱状又は円筒状の部材と、前記円柱状又は円筒状の部材に回転可能に嵌合せしめられていて外周壁に前記突条と係合可能の軸方向へ延びたスリットを有する円筒状バネ部材とを備え、前記突条と前記円筒状バネ部材の内壁面との圧接摺動、及び前記突条と前記スリットとの係合及び離脱により、前記円柱状又は円筒状の部材と前記円筒状バネ部材との回転規制が行なわれるようにしたヒンジ機構。
【請求項２】
前記円筒状バネ部材に前記スリットに沿って折り曲げ部を形成し、前記突条と前記スリットとの係合時に前記突条が前記折り曲げ部に当接するように構成した請求項１に記載のヒンジ機構。
【請求項３】
前記円筒状バネ部材に前記スリットに沿って段部を有する折り曲げ部を形成し、前記突条と前記スリットとの係合時に前記突条の頂部を前記折り曲げ部に当接させてクリック係合を行なわせるように構成した請求項１に記載のヒンジ機構。
【請求項４】
前記突条の端縁部は円弧状をなしている請求項１乃至３の何れかに記載のヒンジ機構。
【請求項５】
前記スリットの端縁部は円弧状をなしている請求項１乃至３の何れかに記載のヒンジ機構。
【請求項６】
前記円筒状バネ部材に嵌装されて前記円筒状バネ部材を介して前記円柱状又は円筒状の部材に圧接力を加わえ得るトルク調整部材を更に備えた、請求項１乃至５の何れかに記載のヒンジ機構。
【請求項７】
前記円柱状又は円筒状の部材の外周面又は前記円筒状バネ部材の内周面に、潤滑剤を貯留するための溝が形成されている、請求項１乃至６の何れかに記載のヒンジ機構。
【請求項８】
前記円筒状の部材は軸絞り加工により形成されている、請求項１乃至７の何れかに記載のヒンジ機構。
【発明の詳細な説明】
【技術分野】
【０００１】
本発明は、液晶テレビやノートパソコン等の基体とディスプレイとの連結や、その他のＯＡ機器等において本体に対し蓋を所定の開放角度位置に維持出来るように連結する目的に好適に使用し得るヒンジ機構に関する。
【背景技術】
【０００２】
ヒンジ機構は、機器の機構要素の一つとして古くから多用され、各種の構造のものが提案され市販されているが、基本構造は、何れも独立したヒンジ軸を設けて、これに一対の相対的に回動する部材（基板と蓋板等）を回転可能に装着するようにしたものである。そして、このようなヒンジ機構は、用途によって上記一対の回動部材が円滑に回動するタイプのものと、下記の特許文献１に示すような妄りには回動しないが所定値以上の回動力を加えれば回動するタイプのものとがある。
【０００３】
【特許文献１】特開２００３−２６２２１４号公報
【発明の開示】
【発明が解決しようとする課題】
【０００４】
上記のタイプのヒンジ機構では、ヒンジ軸に一対の相対的に回動する部材を回転可能に装着する際に、該一対の部材間に複数の平ワッシャーやスプリングワッシャー等を介在させて、上記一対の部材間に所定の大きさの回動摩擦抵抗が生じるように構成したり、ヒンジ軸を特定の形状に加工してバネ手段との協働作用で目的を達成させるように構成したりしていた。
【０００５】
上記の場合、平ワッシャーやスプリングワッシャー等を介在させ上記一対の部材間に所定の大きさの回動摩擦抵抗が生じるように調整し、平ワッシャーが回動部材と一体に回動しないようにしている。この調整にはかなり時間と、熟練を必要とする。
【０００６】
本発明は、上記のような従来技術の有する問題点に鑑みてなされたものであり、その目的とするところは、構造が簡単で、回動、停止操作を安定的に、且つ、円滑に行うことができ、さらに、組み立てが容易で、且つ、低価格で製作できるヒンジ機構を提供することにある。
【課題を解決するための手段】
【０００７】
上記目的を達成するため、本発明によるヒンジ機構は、外周面に軸方向へ延びた少なくとも一つの突条を有する円柱状又は円筒状の部材と、前記円柱状又は円筒状の部材に回転可能に嵌合せしめられていて外周壁に前記突条と係合可能の軸方向へ延びたスリットを有する円筒状バネ部材とを含み、前記突条と前記円筒状バネ部材の内壁面との弾圧摺動、及び前記突条と前記スリットとの係合及び離脱により、前記円柱状又は円筒状の部材と前記円筒状バネ部材との回転規制が行なわれるようになっている。
【０００８】
本発明によれば、前記円筒状バネ部材に前記スリットに沿って折り曲げ部が形成され、前記突条と前記スリットとの係合時に前記突条が前記折り曲げ部に当接するように構成されている。
【０００９】
また、本発明によれば、前記円筒状バネ部材に前記スリットに沿って段部を有する折り曲げ部が形成され、前記突条と前記スリットとの係合時に前記突条の頂部を前記折り曲げ部に当接させてクリック係合を行なわせるように構成されている。
【００１０】
また、本発明によれば、前記突条及び前記スリットの端縁は、円弧面をなしている。
【００１１】
また、本発明によれば、好ましくは、前記円筒状バネ部材に嵌装されて前記円筒状バネ部材を介して前記円柱状又は円筒状の部材に圧接力を加わえ得るトルク調整部材を更に備えている。
【００１２】
また、本発明によれば、好ましくは、前記円柱状又は円筒状の部材の外周面又は前記円筒状バネ部材の内周面に、潤滑剤を貯留するための溝が形成されている。
【００１３】
また、本発明によるヒンジ機構は、外周面に少なくとも一つの軸方向へ延びた断面凹状の切除部を有する円柱状又は円筒状の部材と、前記円柱状又は円筒状の部材に回転可能に嵌合せしめられていて外周壁に前記切除部に係脱可能の舌状部を形成した円筒状バネ部材とを備え、前記切除部と前記舌状部との係合及び離脱により、前記円柱状又は円筒状の部材と前記円筒状バネ部材との回転規制が行なわれるようになっている。
【００１４】
また、本発明によれば、好ましくは、前記舌状部の端縁は円弧面をなしている。
【００１５】
また、本発明によれば、好ましくは、前記切除部が潤滑剤を貯留するための貯留溝ともなっている。
【００１６】
また、本発明によれば、好ましくは、前記円筒状の部材は軸絞り加工により形成されている。
【発明の効果】
【００１７】
本発明によれば、簡単な構成で、特に、液晶テレビやノートパソコン等の固定基体とディスプレイ部との連結や、その他のＯＡ機器等に適用した場合、本体に対し蓋、カバ−などを長期間にわたり適当な力で円滑に回動させることができるばかりでなく、快適なクリックストップ感をもって所望の位置に安定して保持させることができる、ヒンジ装置を廉価に提供することができる。
【発明を実施するための最良の形態】
【００１８】
以下、本発明を図示した実施例に基づき説明する。図１（ａ）は本発明に係るヒンジ機構を備えたヒンジ装置の要部斜視図、図１（ｂ）は図１（ａ）に示したヒンジ装置を備えた機器の全体斜視図、図２は本発明の実施例１におけるヒンジ機構の斜視図、図３(ａ)は本発明の実施例１におけるヒンジ機構の構成を説明するための分解斜視図、図３（ｂ）はバネ部材（クリック・スプリング）の正面図、図３（ｃ）はバネ部材の側面図、図４は本発明の実施例２におけるヒンジ機構の構成を示す斜視図、図５は本発明の実施例２におけるヒンジ機構の構成を説明するための分解斜視図である。
【００１９】
実施例１
図１乃至図３において、１は液晶ディスプレイのようなＯＡ機器を保持する固定基板、２は液晶ディスプレイのような回動体である。３は前記固定基板１に対して回動体２を回動可能に取り付けるためのヒンジ機構である。４はアーム部材よりなる回動部で、取り付け板４ａと、取り付け孔４ｂと、リブ４ｃと、取り付け面４ｄと、取り付け孔４ｅ及び４ｆを有している。この取り付け板４ａと回動体２は、取り付け孔４ｂを介してネジなどで一体に連結される。５は直径の異なる４段の円筒部５ａ、５ｂ、５c及び５ｄと円筒部５ｂの外周面に軸方向へ延びた突条５ｂ１が形成された円筒状の回動部材で、円筒部５ｃに嵌め込まれたワッシャー６を介して、後述の取付け板７の取り付け面に取り付けられ得る。７は前記固定基板１への取り付け板で、取り付け孔７ａ、７ｂ及び７ｃを有し、取り付け孔７ａを介してネジなどで固定基板１と一体に連結される。
【００２０】
更に、８は焼入れされたＳＫ鋼のようなバネ材で形成された円筒状のバネ部材で、円筒状部分８ａと、軸方向に形成されたスリット８ｂと、このスリット８ｂと平行に形成された折り曲げ部８ａ１と、円筒状部分８ａより立ち上げられた折り曲げ部８ｃと、折り曲げ部８ｃの先端部分をスリット８ｂと平行になるように更に折り曲げて取付け孔７ｂに挿入し得るように形成された係合部８ｃ１とを有している。９は波型スプリングワッシャー、１０は抑えワッシャーである。
【００２１】
本実施例によれば、前記回動部材５は、快削鋼（SPCC）板を軸絞り加工することによって形成されており、径の異なる4段の円筒部５ａ、５ｂ、５ｃ及び５ｄは１工程で成形される。これらの円筒部５ａ、５ｂ、５ｃ及び５ｄの直径は、例えば、それぞれ、３．５ｍｍ、３．９ｍｍ、４．５ｍｍ及び５．５ｍｍであり、また、その長さは、それぞれ、１ｍｍ、５ｍｍ、２ｍｍ及び２ｍｍ程度である。更に、突条５ｂ１の長さは５ｍｍ程度であり、その厚さは、約０.６ｍｍである。なお、突条５ｂ１の両側端縁は、固定部材８の折り曲げ部８ａ１及びスリット８ｂとの係合及び離脱を円滑にするため、面取りされて円弧状をなすように形成されると共に、その側壁は滑らかな傾斜面として形成されている。軸絞り加工によれば、切削や研削加工等による場合に比べて、円弧状をなす面取り面や上記傾斜面を、より安価であるにもかかわらず、極めて円滑な面として形成できるという利点がある。
【００２２】
一方、円筒状バネ部材８は、焼入れされたＳＫ材のような弾性を有する材料よりなる厚さ０.８ｍｍ程度の板部材を、好ましくは、プレス加工することによって形成される。この場合、円筒状バネ部材８の内径は、回動部材５の突条５ｂ１を含む円筒部分５ｂが所定のきつさで嵌合し得るように選定されている。また、スリット８ｂと段状の折り曲げ部８ａ１は、回動部材５の突条５ｂ１と係合及び離脱する部分として形成され、その厚さは０．８〜１．０ｍｍ程度であり、折り曲げ部８ａ１の高さは０.２〜０．６ｍｍ程度である。また、取り付け板７の厚みは１ｍｍ程度である。なお、折り曲げ部８ａ１とスリット８ｂの端縁は、突条５ｂ１との係合及び離脱を円滑にするため、面取りされて円弧状をなすように形成されている。
【００２３】
次に、上記ヒンジ装置の組み立てについて説明する。先ず、プレス機械などを用いて、所定のサイズと形状と取付け孔を有する回動部４と、回動部材５と、取り付け板７と、円筒状バネ部材８を製造し、更にワッシャー６、波型スプリングワッシャー９、抑えワッシャー１０等の部品を準備する。そして、先ず、回動部４の取り付け面４ｄに開けられた図示しない取付け孔に回動部材５を挿入し、円筒部５ｄの背面に一体に形成された図示しない取り付け環と回動部４の取り付け面４ｄとを当接させ、ビスを用いて両者をネジ止めするか、カシメ止めするか、或いは溶接などの適宜の固着手段を用いて固定することにより、回動部材５を回動部４と一体に固定する。
【００２４】
次に、この回動部材５を、その円筒部５ｄにワッシャー６を嵌め込んだ状態で、取り付け板７の取付け孔７ｃに挿入し、円筒部５ｃを取り付け孔７ｃに嵌着させる。次に、回動部材５の円筒部５bに形成されている突条５ｂ１に円筒状バネ部材８のスリット８ｂを嵌め込み、同時にその係合部８c１を取り付け板７の孔７ｂに差し込んで、円筒部５ｂを円筒状バネ部材８の内部に嵌め込む。そして、円筒状バネ部材８から突出した回動部材５の円筒部分５ａに波型スプリングワッシャー９と抑えワッシャー１０を嵌め込み、回動部材５の先端縁を抑えワッシャー１０に例えばカシメ付けることにより、回動部材５の円筒状バネ部材８からの脱出を防止する。なお、抑えワッシャー１０と回動部材５の先端縁との固定は、ビス止め、溶接等の方法を用いても良いことは云うまでもない。
【００２５】
本発明によるによるヒンジ装置は上述のように構成されているから、回動体２を回動させると、これに連結されたリブ４ｃと回動部材５が一体的に回動し、回動部材５の突条５ｂ１は、円筒状バネ部材８の内壁面に圧接して回動する。そして、回動部材５は、突条５ｂ１が円筒状バネ部材８の係合部(折り曲げ部８ａ１とスリット８ｂ)に係合するまで円滑に回動し、突条５ｂ１とスリット８ｂとが嵌合した位置に回動部材５を含む回動体を安定的に維持させる。この場合、操作者は、突条５ｂ１の頂部と折り曲げ部８ａ１の内壁面とが当接することによるクリックストップ感を得ることができる。この係合位置において、さらに、所定以上の回動力を回動部材５に加えると、突条５ｂ１が円筒状バネ部材８のスリット８ｂから脱出し、その後は所定の回動力を与えることにより、回動部材５は、突条５ｂ１がスリット８ｂに再び係合するまでは、突条５ｂ１と円筒状バネ部材８の内壁面との摩擦力のもとで円滑且つ安定的に回動可能である。
【００２６】
実施例２
図４及び図５は実施例２を示している。この実施例は、トルク調整部材１１が付加されている点で、実施例１とは異なる。従って、図４及び５において、実施例１と実質上同一の部材及び部分には同一の符号が用いられ、それらについての説明は省略されている。
【００２７】
図４及び図５に示されるように、実施例２のヒンジ機構においては、回転トルクを増加させるために、円筒状バネ部材８の外周部を覆うように形成されたトルク調整部材１１が設けられている。この部材１１は、例えば、バネ材で形成される中空円筒部１１ａと、回動部材５を通す孔１１ｃを有する端部１１ｄと、中空円筒部１１ａにその軸方向に形成されたスリット１１ｂとを有している。このトルク調整部材１１の中空円筒部１１ａに円筒状バネ部材８を嵌め込み、中空円筒状部１１ａの内壁面と円筒状バネ部材８の外周面とが接触するようにする。そして、実施例１の場合と同様に、抑えワッシャー１０を回動部材５の端部にカシメ着ける。このような構成によれば、円筒状バネ部材８に付加的な圧接力を付与することができるので、前記回動部の回転に必要なトルクを増加させることができる。そして、中空円筒部１１ａの材質、寸法などを適宜選択し設定することにより、回転トルクの大きさを予め調整することができる。
【００２８】
本発明によれば、回動体２を回動させると、円筒状バネ部材８の内壁面と回動部材５の突条５ｂ１とがより強く圧接しつつ、突条５ｂ１が円筒状バネ部材８のスリット８ｂに係合するまで回動するから、実施例１の場合とは異なる適度の重量感を与えながら回動体を円滑に回動させることができる。また、突条５ｂ１とスリット８ｂとが、一旦係合すると、そのクリックストップ係合により回動体２を安定的且つ確実に所定の位置に保持することができる。また、突条５ｂ１とスリット８ｂが係合状態から離脱した状態においては、回動部材５は、適度の摩擦力の下で、時計方向あるいは反時計方向に円滑に回動できる。したがって、本発明によれば、簡単な構成で、回動部材５と円筒状バネ部材８との相対回動が円滑に行われ、回動体を所望の位置に安定して留めることが可能なヒンジ機構を実現できる。そしてヒンジ機構の回動操作における円滑性、安定性の確保、向上に資することができる。
【００２９】
上記実施例１及び２においては、回動部材５の円筒面５ｂの外周面に突条５ｂ１が一つだけ設けられていたが、この突条５ｂ１は複数個設けられても良い。図６には、この突条を三つ設けた場合の例が示されている。説明の便宜上、図６においては、折り曲げ部８ａ１が突条５ｂ１の右側の側壁に沿った方向に折り曲げてあるが、これとは逆に折り曲げ部を突条の左側に設けても良い。図６(ａ)は、突条の一つ５ｂ１が円筒状バネ部材８の係合部（折り曲げ部８ａ１とスリット８b）に係合している状態を示している。図６(ｂ)は、三つの突条のうち、いずれの突条も円筒状バネ部材８の係合部に係合していない状態を示している。
【００３０】
図６において、三つの突条５ｂ１，５ｂ２，５ｂ３の側壁は、突条と係合部との係合及び離脱が円滑に行われるように、滑らかで適度の角度を有する傾斜面に形成されていることが好ましい。これらの突条を円筒部５ｂの所定の位置に設けることにより、回動体を回動させたとき、三つの突条５ｂ１，５ｂ２，５ｂ３のいずれかを固定部材８の係合部と係合させ、また、離脱させることができる。かくして、三つの位置において、回動体を安定的に保持し、また、円滑に離脱させることができる。この場合にも、前述のように、係合が行われるときには、突条５ｂ１，５ｂ２，５ｂ３の頂部と段状の折り曲げ部８ａ１の内壁面とが当接することによりクリック感が得られる。
【００３１】
また、上記例では、円筒状バネ部材８の係合部が折り曲げ部８ｂ１とスリット８ｂを有している場合を示したが、円筒状バネ部材８の係合部には折り曲げ部８ｂ１を形成しないでスリット８ｂのみを設けるようにしても良い。図７は円筒状バネ部材８の係合部をスリット８ｂのみで構成し、突条を三つ設けた場合の例を示している。図７(ａ)は突条の一つ５ｂ１が円筒状バネ部材８のスリット８ｂに係合している状態を示している。図７(ｂ)は、三つの突条のうち、いずれの突条も固定部材８のスリット８ｂに係合していない状態を示している。また、この例では、回動部材５が三つの突条を有する場合について説明したが、回動部材５の径が大きい場合には、四つ以上の突状部を設けることができる。
【００３２】
図８は、図７に示した回動部材５の突条５ｂ１と円筒状バネ部材８の係合部の変形例を示している。ここでは、円筒部５ｂに形成した突条５ｂ１を一つだけ設けた場合の例を示している。図８(ａ)は、一つの突条５ｂ１が円筒状バネ部材８のスリット８ｂに係合している状態を示している。図８(ｂ)は、この突条５ｂ１を有する円筒部５ｂとスリット８ｂを有する円筒状部分８ａの分解斜視図である。説明の便宜上、これらの図においては、円筒状部分８ａの左側の端部と円筒部５ｂの突条５ｂ１の左側の側壁５ｂ１１は同じような角度の傾斜面を有しているが、これとは逆に、このような傾斜面を突状５ｂ１の右側の側壁に形成しても良い。
【００３３】
上記の例においては、突条５ｂ１の左側面と円筒状部分８ａの係合部端面８ａ１１は、滑らかで同じような角度の傾斜面に形成されている。また、突条５ｂ１の他方の側壁面５ｂ１２は、円筒状部分８ａの直径方向とほぼ平行な角度をなすように形成してある。従って、図８(ａ)の係合状態において、円筒部５ｂに反時計方向の回転力を加えたときは、スリット８ｂからの突条５ｂ１の離脱は円滑に行われる。また、円筒部５ｂに時計方向に通常の回動力を加えた場合は、側壁面５ｂ１２とこれに対面する円筒状部分８ａの側壁面８ａ１２とは対面状態で当接するので、回動体即ち円筒部５ｂはこれ以上回動できない。従って、このように構成することにより、回動体を所定の位置に安定して保持できると共に、所定の回動位置から更に、特定の方向には回動しないようにすることができる。また、この例では、円筒部５ｂが一つの突条を有する場合について説明したが、これに限らず、突条の数は二つ以上にすることができることは言うまでもない。
【００３４】
図９(ａ)は突条５ｂ１と折り曲げ部８ｅが係合している状態の断面図、図９(ｂ)は突状部５ｂ１と折り曲げ部８ｅのそれぞれの斜視図である。説明の便宜上、これらの図においては、折り曲げ部８ｅは突状部５ｂ１の左側の側壁に沿った方向に折り曲げてあるが、これとは逆に折り曲げ部８ｅを突状部５ｂ１の右側に設けても良い。図９(ｂ)に示すように、折り曲げ部８ｅの内壁面８ｅ１は、この部分に接する突状部５ｂ１の側壁面５ｂ１１の形状に応じて適度の傾斜を有する滑らかな面に形成することが好ましい。このように構成することにより、回動部材５を反時計方向に所定の回転力を加えて回動させたとき、図９(ａ)の係合状態から突条５ｂ１は離脱できる。図示のように、突条５ｂ１の他方の側壁面５ｂ１２（図において右側の側壁面）を円筒状バネ部材８の直径方向とほぼ平行な角度、すなわち、回動部材５及び円筒状バネ部材８の外周面に対してほぼ垂直な角度を持たせるように形成しておくと、図９(ａ)の係合状態において、回動部５に時計方向に通常の回動力を加えても、前記側壁面５ｂ１２と円筒状バネ部材８の端面８ｅ２が滑らないような角度で、束縛力のもとで接触しているので、回動体はこれ以上、回動できない。このように構成することにより、回動体を所定の位置に安定して保持できると共に、所定の回動位置から更に、特定の方向に回動しないように構成できる。
【００３５】
また、図９に示した折り曲げ部８ｅを、図１０に示すように、係合が行われる時に突条５ｂ１の頂面と当接するように段状に折り曲げた折り曲げ部８ｆとして形成しても良い。図１０(ａ)は、突条５ｂ１と段状の折り曲げ部８ｆが係合している状態の断面図であり、図１０(ｂ)は、突条５ｂ１を有する回動部材５ｂと段状の折り曲げ部８ｆを有する円筒状バネ部材８の斜視図である。説明の便宜上、これらの図においては、段状の折り曲げ部８ｆは突条５ｂ１の左側に形成されているが、これとは逆に突条５ｂ１の右側に形成されても良い。図１０(ａ)及び図１０(ｂ)に示すように、円筒状バネ部材８を構成する円筒部８ａの端部を階段状に折り曲げて段状の折り曲げ部８ｆを形成し、突条５ｂ１の左側の側壁面５ｂ１１を滑らかで、適度の角度を有する傾斜面に形成し、かつ、突条５ｂ１の他方の側壁面５ｂ１２（図において右側の側壁面）を円筒状バネ部材８の直径方向、すなわち、回動部材５及び円筒状バネ部材８の外周面に対してほぼ垂直な角度を持たせるように形成してもよい。このような構成によれば、図１０に示されるように、突条５ｂ１が折り曲げ部分８ｆに係合するとき、突条５ｂ１の頂面５ｂ１３が折り曲げ部８ｆの内壁面８ｆ３に弾撥力のもとで当接するので、クリックストップ感を得ることができる。かくして、既に説明したように、回動体を所定の位置に安定して保持できると共に、所定の回動位置から更に、特定の方向に回動しないように構成できる。
【００３６】
上記実施例において、円柱状又は円筒状の部材の外周面又は円筒状バネ部材の内周面に、グリース等の潤滑剤を貯留するための溝を形成して、組立て時にその溝に潤滑剤を充填しておけば、長期間に亘り円滑な回動運動を維持させることができる。
実施例３
【００３７】
図１１乃至１３は実施例３を示している。この実施例は、実質上、回動部材５と円筒状バネ部材８の構造が前記実施例とは異なるだけであるので、図１１乃至１３において、既述の実施例と実質上同一の部材及び部分には同一の符号を用い、それらについての説明は省略する。
【００３８】
本実施例では、図１１及び図１２に示すように、回動部４に固着された回動部材１２は、外周面の一部を対向する平行面をなすように切除してなる鍔部１２ａと、外周面部１２ｂと、外周面に軸方向へ延びて断面凹状をなすように形成された切除部１２ｂ１及び１２ｂ２と、円筒部１２ｃとを有している。また、図１１及び図１３に示すように、円筒状バネ部材１３は、回動部材１２の外周面部１２bに回動可能に嵌合する円筒部１３ａと、スリット１３ｂと、スリット１３ｂに隣接して円筒部１３ａに形成された舌状部１３ａ１と、一対の取り付け孔１３ｃとを有している。なお、舌状部１３a１は、図１３に明示したように、円筒部１３ａの内周面よりも一段内側に位置するように折り曲げられて端縁が円弧面をなすように成形されており、全体として回動部材１２の切除部１２ｂ１内に嵌入し得る輪郭を有している。
【００３９】
次に、実施例３によるヒンジ装置の組立てについて説明する。先ず、回動部材１２を、その円筒部１２ｃにワッシャー６を嵌め込んだ状態で取り付け板７の取付け孔７ｃに挿入し、外周面部１２ｂを取り付け孔７ｃに嵌合させる。次に、回動部材１２の切除部１２ｂ１を、取り付け板７の位置決めピン７dに円筒状バネ部材１３の取り付け孔１３ｃを嵌着させることにより位置決めされた円筒状バネ部材１３の舌状部１３ａ１に、嵌め込む。切除部１２ｂ１と舌状部１３ａ１とのこの係合位置は、図１に示したＯＡ機器等において液晶ディスプレイを使用状態に保持させる位置となるように予め設計されている。この場合、切除部１２ｂ１及び１２ｂ２内には、適量のグリースの如き潤滑剤が予め充填される。そして、円筒状バネ部材１３から突出した回動部材１２の外周面部１２ｂに、波型スプリングワッシャー９と、嵌合部１４ａを円筒状バネ部材１３に嵌着して位置決めされた抑えワッシャー１４とを嵌め込み、最後に、鍔部１２ａに抑えワッシャー１０を嵌めて、例えばこれをカシメ付けることにより、回動部材１２の円筒状バネ部材１３からの脱出を防止する。なお、抑えワッシャー１０と鍔部１２ａとの固定は、ビス止め、溶接等の方法を用いても良いことは云うまでもない。
【００４０】
実施例３は上述のように構成されているから、回動部４即ち回動部材１２を、取り付け板７即ち基板１（図１）に対して反時計方向へ回動させると、回動部材１２の外周面部１２ｂは、円筒状バネ部材１３の舌状部１３ａ１を外方へ押し上げながら通過して、その内周面上を所定位置まで摺動し、回動体２を閉じ位置へ回動させて停止する。従って、上記反時計方向への回動の初期には所定の大きさの回動力を要するが、以後は停止位置まで比較的軽い力で回動する結果となる。また、その停止位置から逆に回動部４即ち回動部材１２を時計方向へ回動して、回動体２を開き位置へ移動させる場合には、比較的軽い力で回動し、最後に比較的大きな回動力を必要とした直後、回動部材１２の切除部１２ｂ１が円筒状バネ部材１３の舌状部１３ａ１と係合することにより停止し、その停止位置に回動体２を安定的に維持させることが出来る。
【００４１】
以上の説明で明らかなように、回動部材１２を軸絞り加工で形成すると、端縁を含め面全体が極めて円滑に形成され得るから、操作者は、回動体２の開閉に特に好適なクリックストップ感を得ることができ、また、切除部１２ｂ１及び１２ｂ２内に充填された潤滑剤が回動部材１２と円筒状バネ部材１３との摺動面全体に均一に行き渡るから、長期間に亘り回動運動を常に円滑且つ快適なものにするにすることができる。
なお、実施例３において、切除部１２ｂ１と同様の形状の切除部を複数配置すれば、上記クリックストップ感を複数の位置で得ることが出来のみならず、回動体２を複数の位置に停止維持させるように構成することもできる。また、上述のように、切除部１２ｂ１及び１２ｂ２を潤滑剤貯留溝としても利用できるから、部材の回動面から外部へ潤滑剤が漏出するようなことがなく、ＯＡ機器等に好適なヒンジ機構を提供することができる。
【００４２】
以上、各種実施例を説明したが、本発明の範囲はこれらに限定されるものではなく、また、回動体の大きさ、重量などに応じて、円筒状バネ部材ならびに回動部材などの形状、寸法、材質などは、必要とする回転力などを考慮して適宜、定めることができる。更に、実施例では、回動部材を円筒体で構成したが、円柱体で構成しても良いことは言うまでもない。
【産業上の利用可能性】
【００４３】
本発明のヒンジ機構は、液晶テレビやノートパソコン等の基台とディスプレイとの連結や、その他のＯＡ機器等において本体に対し蓋を任意の開放角度位置に維持することが求められる分野において特に有用である。
【図面の簡単な説明】
【００４４】
【図１】は本発明に係るヒンジ機構を備えたヒンジ装置の斜視図で、(ａ)は要部拡大図、（ｂ）は本発明に係るヒンジ装置を備えた機器の全体図である。
【図２】本発明の実施例１におけるヒンジ機構の斜視図である。
【図３】実施例１におけるヒンジ機構の構成を説明するための分解図で、（ａ）は全体図、（ｂ）円筒状バネ部材の正面図、（ｃ）は円筒状バネ部材の側面図である。
【図４】本発明の実施例２におけるヒンジ機構の斜視図である。
【図５】実施例２におけるヒンジ機構の構成を説明するための分解図である。
【図６】本発明のヒンジ機構に用いられる三つの突条を有する回動部材と円筒状バネ部材の一実施例の構成を説明するための断面図で、(ａ)は突条の一つが円筒状バネ部材の係合部に係合している状態を、（ｂ）はいずれの突条も円筒状バネ部材の係合部に係合していない状態をそれぞれ示す。
【図７】本発明のヒンジ機構に用いられる三つの突条を有する回動部材と円筒状バネ部材の他の実施例の構成を説明するための断面図で、(ａ)は突条の一つが円筒状バネ部材の係合部に係合している状態を、（ｂ）はいずれの突条も円筒状バネ部材の係合部に係合していない状態をそれぞれ示す。
【図８】本発明のヒンジ機構に用いられる一つの突条を有する回動部材と円筒状バネ部材の一実施例の構成を説明するための図で、(ａ)は断面図、（ｂ）は分解斜視図である。
【図９】本発明のヒンジ機構に用いられる一つの突条を有する回動部材と円筒状バネ部材の他の実施例の構成を説明するための図で、(ａ)は断面図、（ｂ）は分解斜視図である。
【図１０】本発明のヒンジ機構に用いられる一つの突条を有する回動部材と円筒状バネ部材の更に他の実施例の構成を説明するための図で、(ａ)は断面図、（ｂ）は分解斜視図である。
【図１１】実施例３におけるヒンジ機構の構成を説明するための分解図である。
【図１２】実施例３に用いられる回動部材の詳細構造を示す拡大斜視図である。
【図１３】実施例３に用いられる円筒状バネ部材の詳細構造を示す拡大斜視図である。
【符号の説明】
【００４５】
１                        固定基板
２                        回動体
３                        ヒンジ機構
４                        回動部
４ａ                      回動体の取り付け板
４ｂ、４ｅ、４ｆ          取り付け孔
４ｃ                      リブ
４ｄ                      回動部材取り付け面
５、１２                  回動部材
５ａ、５ｂ、５ｃ、５ｄ    回動部材の円筒部
５ｂ１、５ｂ２、５ｂ３    突条
６                        ワッシャー
６ａ                      貫通孔
７                        固定基板との取り付け板
７ａ、１３ｃ              取り付け孔
７ｂ                      固定部材の突起部の挿入孔
７ｃ                      貫通孔
７ｄ                      位置決めピン
８、１２                  円筒状バネ部材
８ａ、１２ｃ、１３ａ      円筒部
８ａ１                    段状の折り曲げ部
８ｂ、１３ｂ              スリット
８ｃ、８ｅ、８ｆ          折り曲げ部
８ｃ１                    係合部
９                        波型スプリングワッシャー
１０                      抑えワッシャー
１１                      トルク調整部材
１１ａ                    中空円筒部
１１ｂ                    スリット
１１ｃ                    貫通孔
１１ｄ                    端部
１２ａ                    鍔部
１２ｂ                    外周面部
１２ｂ１、１２ｂ２        切除部
１３ａ１                  舌状部
１４ａ                    嵌合部
【図１】
0004358880.tif 000002
【図２】
0004358880.tif 000003
【図３】
0004358880.tif 000004
【図４】
0004358880.tif 000005
【図５】
0004358880.tif 000006
【図６】
0004358880.tif 000007
【図７】
0004358880.tif 000008
【図８】
0004358880.tif 000009
【図９】
0004358880.tif 000010
【図１０】
0004358880.tif 000011
【図１１】
0004358880.tif 000012
【図１２】
0004358880.tif 000013
【図１３】
0004358880.tif 000014